(57)【特許請求の範囲】
【請求項１】
ディスクテーブルに装着されるディスク状記録媒体の半径方向へ移動される移動ベースと、
前記移動ベースに配置され対物レンズを有する対物レンズ駆動装置とを備え、
前記対物レンズ駆動装置は、
前記移動ベースに固定された固定ブロックと、
前記対物レンズと該対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、
前記固定ブロックと前記可動ブロックを連結する複数の支持バネと、
前記可動ブロックを前記フォーカス方向又は前記トラッキング方向へ動作させる駆動用マグネットと、
前記駆動用マグネットに対向して位置される駆動用コイルと、
前記レンズホルダーに取り付けられ、前記レンズホルダーより剛性の高い材料によって形成され、前記駆動用コイルが取り付けられた補強部材とを備え、
前記駆動用コイルが前記補強部材側へプレスされることにより形成されたコイルユニットを設け、
前記レンズホルダーに前記対物レンズが取り付けられるレンズ取付部と該レンズ取付部に対して所定の角度屈曲して位置された部材取付部とを設け、
前記部材取付部に前記可動ブロックと前記固定ブロックが並ぶ方向に貫通された取付用開口を形成し、
前記部材取付部に取付用開口を閉塞するように前記コイルユニットの補強部材を取り付けるようにした
光ピックアップ。
【請求項２】
前記レンズホルダーの取付用開口に嵌め込んだ状態で前記補強部材を前記レンズホルダーに取り付けるようにした
請求項１に記載の光ピックアップ。
【請求項３】
ディスク状記録媒体が装着されるディスクテーブルと、
前記ディスクテーブルに装着されるディスク状記録媒体の半径方向へ移動される移動ベースと該移動ベースに配置され対物レンズを有する対物レンズ駆動装置とを備えると共に前記ディスクテーブルに装着される前記ディスク状記録媒体に対して対物レンズを介してレーザー光を照射する光ピックアップとを備え、
前記対物レンズ駆動装置は、
前記移動ベースに固定された固定ブロックと、
前記対物レンズと該対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、
前記固定ブロックと前記可動ブロックを連結する複数の支持バネと、
前記可動ブロックを前記フォーカス方向又は前記トラッキング方向へ動作させる駆動用マグネットと、
前記駆動用マグネットに対向して位置される駆動用コイルと、
前記レンズホルダーに取り付けられ、前記レンズホルダーより剛性の高い材料によって形成され、前記駆動用コイルが取り付けられた補強部材とを備え、
前記駆動用コイルが前記補強部材側へプレスされることにより形成されたコイルユニットを設け、
前記レンズホルダーに前記対物レンズが取り付けられるレンズ取付部と該レンズ取付部に対して所定の角度屈曲して位置された部材取付部とを設け、
前記部材取付部に前記可動ブロックと前記固定ブロックが並ぶ方向に貫通された取付用開口を形成し、
前記部材取付部に取付用開口を閉塞するように前記コイルユニットの補強部材を取り付けるようにした
ディスクドライブ装置。
【発明の詳細な説明】
【技術分野】
【０００１】
本発明は光ピックアップ及びディスクドライブ装置に関する。詳しくは、可動ブロックのレンズホルダーに該レンズホルダーより剛性の高い補強板を取り付けてサーボ帯域の高域化による動作の信頼性の向上等を図る技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置は、固定ブロックと該固定ブロックに金属製のワイヤー等の複数の支持バネを介して支持された可動ブロックとを備えている。
【０００４】
光ピックアップにあっては、対物レンズを保持するレンズホルダーを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
このような光ピックアップに設けられた対物レンズ駆動装置には、可動ブロックをフォーカス方向へ動作させるためのフォーカス用磁気回路及び可動ブロックをトラッキング方向へ動作させるためのトラッキング用磁気回路が設けられている。フォーカス用磁気回路とトラッキング用磁気回路はそれぞれ駆動用コイルと駆動用マグネットを有している。
【０００６】
対物レンズ駆動装置は、可動ブロックと固定ブロックがフォーカス方向及びトラッキング方向にともに直交する方向であるタンジェンシャル方向に離隔した状態で支持バネによって連結されている。
【０００７】
光ピックアップがディスク状記録媒体の半径方向へ移動されるときには、対物レンズの下方に配置された立上ミラーに、レーザー光がレンズホルダーの固定ブロックに対向する面と反対側の面に形成された光路用開口を透過されて入射され、立上ミラーで反射されたレーザー光が対物レンズを介してディスク状記録媒体の記録面に照射される。このとき対物レンズを介してディスク状記録媒体に照射されたレーザー光のスポットがディスク状記録媒体の記録トラックに集光されるように、上記したフォーカス調整及びトラッキング調整が行われる。
【０００８】
従来の対物レンズ駆動装置には、対物レンズを保持するレンズホルダーのタンジェンシャル方向における一方の面、即ち、固定ブロックに対向する面に補強部材が取り付けられたものがある（例えば、特許文献１参照）。
【０００９】
補強部材（特許文献１にあっては「剛性基板」）はレンズホルダーより剛性の高い材料によって形成されている。レンズホルダーに補強部材を取り付けることにより可動ブロックの剛性が高くなるため、可動ブロックの動作時（サーボ駆動時）に高周波において共振ピークが発生し、サーボ帯域の高域化による動作の信頼性の向上を図ることが可能となる。
【００１０】
【特許文献１】特開２００７−１０９３１７号公報
【発明の開示】
【発明が解決しようとする課題】
【００１１】
ところが、特許文献１に記載された光ピックアップにあっては、補強部材がレンズホルダーの固定ブロックに対向する面に取り付けられており、この一方の面を含む部分に加え補強部材が存在するため、可動ブロックの重量が大きくなり、可動ブロックの動作時における感度が低下し、高速化に対応することが困難になると言う問題が生じてしまう。
【００１２】
そこで、本発明光ピックアップ及びディスクドライブ装置は、上記した問題点を克服し、感度の低下を来たすことなく動作の信頼性の向上を図ることを課題とする。
【課題を解決するための手段】
【００１３】
光ピックアップは、上記した課題を解決するために、ディスクテーブルに装着されるディスク状記録媒体の半径方向へ移動される移動ベースと、前記移動ベースに配置され対物レンズを有する対物レンズ駆動装置とを備え、前記対物レンズ駆動装置は、前記移動ベースに固定された固定ブロックと、前記対物レンズと該対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、前記固定ブロックと前記可動ブロックを連結する複数の支持バネと、前記可動ブロックを前記フォーカス方向又は前記トラッキング方向へ動作させる駆動用マグネットと、前記駆動用マグネットに対向して位置される駆動用コイルと、前記レンズホルダーに取り付けられ、前記レンズホルダーより剛性の高い材料によって形成され、前記駆動用コイルが取り付けられた補強部材とを備え、前記駆動用コイルが前記補強部材側へプレスされることにより形成されたコイルユニットを設け、前記レンズホルダーに前記対物レンズが取り付けられるレンズ取付部と該レンズ取付部に対して所定の角度屈曲して位置された部材取付部とを設け、前記部材取付部に前記可動ブロックと前記固定ブロックが並ぶ方向に貫通された取付用開口を形成し、前記部材取付部に取付用開口を閉塞するように前記コイルユニットの補強部材を取り付けるようにしたものである。
【００１４】
従って、光ピックアップにあっては、補強部材によって対物レンズ駆動装置の可動ブロックにおけるレンズホルダーの開口部が閉塞される。
【００１５】
上記した光ピックアップにおいて、前記レンズホルダーの取付用開口に嵌め込んだ状態で前記補強部材を前記レンズホルダーに取り付けるようにすることが望ましい。
【００１６】
レンズホルダーの取付用開口に嵌め込んだ状態で補強部材をレンズホルダーに取り付けることにより、補強部材がレンズホルダーから突出されない。
【００１９】
ディスクドライブ装置は、上記した課題を解決するために、ディスク状記録媒体が装着されるディスクテーブルと、前記ディスクテーブルに装着されるディスク状記録媒体の半径方向へ移動される移動ベースと該移動ベースに配置され対物レンズを有する対物レンズ駆動装置とを備えると共に前記ディスクテーブルに装着される前記ディスク状記録媒体に対して対物レンズを介してレーザー光を照射する光ピックアップとを備え、前記対物レンズ駆動装置は、前記移動ベースに固定された固定ブロックと、前記対物レンズと該対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、前記固定ブロックと前記可動ブロックを連結する複数の支持バネと、前記可動ブロックを前記フォーカス方向又は前記トラッキング方向へ動作させる駆動用マグネットと、前記駆動用マグネットに対向して位置される駆動用コイルと、前記レンズホルダーに取り付けられ、前記レンズホルダーより剛性の高い材料によって形成され、前記駆動用コイルが取り付けられた補強部材とを備え、前記駆動用コイルが前記補強部材側へプレスされることにより形成されたコイルユニットを設け、前記レンズホルダーに前記対物レンズが取り付けられるレンズ取付部と該レンズ取付部に対して所定の角度屈曲して位置された部材取付部とを設け、前記部材取付部に前記可動ブロックと前記固定ブロックが並ぶ方向に貫通された取付用開口を形成し、前記部材取付部に取付用開口を閉塞するように前記コイルユニットの補強部材を取り付けるようにしたものである。
【００２０】
従って、ディスクドライブ装置にあっては、補強部材によって対物レンズ駆動装置の可動ブロックにおけるレンズホルダーの開口部が閉塞される。
【発明の効果】
【００２１】
本発明光ピックアップは、ディスクテーブルに装着されるディスク状記録媒体の半径方向へ移動される移動ベースと、前記移動ベースに配置され対物レンズを有する対物レンズ駆動装置とを備え、前記対物レンズ駆動装置は、前記移動ベースに固定された固定ブロックと、前記対物レンズと該対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、前記固定ブロックと前記可動ブロックを連結する複数の支持バネと、前記可動ブロックを前記フォーカス方向又は前記トラッキング方向へ動作させる駆動用マグネットと、前記駆動用マグネットに対向して位置される駆動用コイルと、前記レンズホルダーに取り付けられ、前記レンズホルダーより剛性の高い材料によって形成され、前記駆動用コイルが取り付けられた補強部材とを備え、前記駆動用コイルが前記補強部材側へプレスされることにより形成されたコイルユニットを設け、前記レンズホルダーに前記対物レンズが取り付けられるレンズ取付部と該レンズ取付部に対して所定の角度屈曲して位置された部材取付部とを設け、前記部材取付部に前記可動ブロックと前記固定ブロックが並ぶ方向に貫通された取付用開口を形成し、前記部材取付部に取付用開口を閉塞するように前記コイルユニットの補強部材を取り付けるようにした。
【００２２】
従って、レンズホルダーに取付用開口が形成されている分、可動ブロックの重量を大きくすることなく該可動ブロックの剛性を高めているため、可動ブロックの動作時における感度の低下を来たすことなく動作の信頼性の向上を図ることができる。そして更に、レンズホルダーに補強部材が取り付けられた状態において駆動用コイルが補強部材側へプレスされることがないため、プレスによる負荷がレンズホルダーに付与されることがなく、レンズホルダーの変形を防止することができる。
【００２３】
請求項２に記載した発明にあっては、前記レンズホルダーの取付用開口に嵌め込んだ状態で前記補強部材を前記レンズホルダーに取り付けるようにしたので、対物レンズ駆動装置の取付用開口の開口方向において対物レンズ駆動装置の長さが長くなることがなく、対物レンズ駆動装置の小型化を確保することができる。
【００２５】
本発明ディスクドライブ装置は、ディスク状記録媒体が装着されるディスクテーブルと、前記ディスクテーブルに装着されるディスク状記録媒体の半径方向へ移動される移動ベースと該移動ベースに配置され対物レンズを有する対物レンズ駆動装置とを備えると共に前記ディスクテーブルに装着される前記ディスク状記録媒体に対して対物レンズを介してレーザー光を照射する光ピックアップとを備え、前記対物レンズ駆動装置は、前記移動ベースに固定された固定ブロックと、前記対物レンズと該対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、前記固定ブロックと前記可動ブロックを連結する複数の支持バネと、前記可動ブロックを前記フォーカス方向又は前記トラッキング方向へ動作させる駆動用マグネットと、前記駆動用マグネットに対向して位置される駆動用コイルと、前記レンズホルダーに取り付けられ、前記レンズホルダーより剛性の高い材料によって形成され、前記駆動用コイルが取り付けられた補強部材とを備え、前記駆動用コイルが前記補強部材側へプレスされることにより形成されたコイルユニットを設け、前記レンズホルダーに前記対物レンズが取り付けられるレンズ取付部と該レンズ取付部に対して所定の角度屈曲して位置された部材取付部とを設け、前記部材取付部に前記可動ブロックと前記固定ブロックが並ぶ方向に貫通された取付用開口を形成し、前記部材取付部に取付用開口を閉塞するように前記コイルユニットの補強部材を取り付けるようにした。
【００２６】
従って、レンズホルダーに取付用開口が形成されている分、可動ブロックの重量を大きくすることなく該可動ブロックの剛性を高めているため、可動ブロックの動作時における感度の低下を来たすことなく動作の信頼性の向上を図ることができる。そして更に、レンズホルダーに補強部材が取り付けられた状態において駆動用コイルが補強部材側へプレスされることがないため、プレスによる負荷がレンズホルダーに付与されることがなく、レンズホルダーの変形を防止することができる。
【発明を実施するための最良の形態】
【００２７】
以下に、本発明光ピックアップ及びディスクドライブ装置の最良の形態を添付図面を参照して説明する。
【００２８】
ディスクドライブ装置１は、外筐２の内部に所要の各部材及び各機構が配置されて成り（図１参照）、外筐２には図示しないディスク挿入口が形成されている。
【００２９】
外筐２の内部には図示しないシャーシが配置され、該シャーシに取り付けられたスピンドルモーターのモーター軸にディスクテーブル３が固定されている。
【００３０】
シャーシには、平行なガイド軸４、４が取り付けられると共に図示しない送りモーターによって回転されるリードスクリュー５が支持されている。
【００３１】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００３２】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されたディスク状記録媒体１００の半径方向へ移動される。
【００３３】
対物レンズ駆動装置８は固定ブロック９と該固定ブロック９に対して動作される可動ブロック１０とを有し（図２参照）、移動ベース７に配置されている（図１参照）。
【００３４】
固定ブロック９は移動ベース７に固定されている。固定ブロック９の後面には回路基板１１が取り付けられている（図２参照）。
【００３５】
可動ブロック１０はレンズホルダー１２に所要の各部が取り付けられて成る（図３乃至図５参照）。
【００３６】
レンズホルダー１２は上下方向を向くレンズ取付部１３と該レンズ取付部１３の後端部から下方へ突出された部材取付部１４とを有している。
【００３７】
レンズホルダー１２は、例えば、液晶ポリマー（Liquid Crystal Polymer）等の樹脂材料によって形成されている。レンズホルダー１２には前方に開口された光路用開口１２ａが形成されている。
【００３８】
レンズホルダー１２のレンズ取付部１３には、上端寄りの位置における全周にコイル取付用溝１３ａが形成されている。コイル取付用溝１３ａには第１のフォーカス用コイル１５が取り付けられている。従って、第１のフォーカス用コイル１５は軸方向がフォーカス方向（上下方向）とされている。
【００３９】
レンズホルダー１２のレンズ取付部１３の上面には対物レンズ１６、１７が取り付けられて保持されている。対物レンズ１６、１７は左右方向（ラジアル方向）に離隔して配置され、種類の異なるディスク状記録媒体１００、例えば、レーザー光の使用波長が７８０ｎｍ付近であるＣＤ（Compact Disc）、使用波長が６６０ｎｍ付近であるＤＶＤ（Digital Versatile Disc）、使用波長が４０５ｎｍ付近であるブルーレイディスク（Blu-ray Disc）等に対応して設けられている。
【００４０】
対物レンズ１６、１７の下方にはそれぞれ図示しない立上ミラーが配置されている。立上ミラーは図示しない光源から出射され光路用開口１２ａを介して入射されたレーザー光を直角に折り曲げてそれぞれ対物レンズ１６、１７に入射させる機能を有する。
【００４１】
レンズホルダー１２の部材取付部１４には前後に貫通された取付用開口１４ａが形成されている。取付用開口１４ａは、例えば、下方に開口されている。
【００４２】
部材取付部１４には取付用開口１４ａを覆うようにしてコイルユニット１８が取り付けられる。コイルユニット１８は補強部材１９にチルト用コイル２０、２０、第２のフォーカス用コイル２１及びトラッキング用コイル２２、２２が取り付けられて成る。
【００４３】
補強部材１９は前後方向を向く、例えば、矩形の板状に形成され、レンズホルダー１２より剛性の高い材料によって形成されている。補強部材１９は、例えば、マグネシウム等の金属材料、炭素繊維強化プラスチック（ＣＦＲＰ：Carbon Fiber Reinforced Plastics）、ガラス材料等によって形成されている。これらの材料としては反射率の低い材料を用いることが望ましく、ガラス材料としては、例えば、すりガラスや表面が黒色に塗布された材料を用いることが望ましい。
【００４４】
チルト用コイル２０、２０は補強部材１９の後面に左右に離隔して、例えば、接着によって取り付けられている。チルト用コイル２０、２０はそれぞれ軸方向がタンジェンシャル方向（前後方向）とされている。
【００４５】
第２のフォーカス用コイル２１はチルト用コイル２０、２０の後面に、例えば、接着によって取り付けられている。第２のフォーカス用コイル２１はそれぞれ軸方向がタンジェンシャル方向とされている。
【００４６】
トラッキング用コイル２２、２２は第２のフォーカス用コイル２１の後面に、例えば、接着によって取り付けられている。トラッキング用コイル２２、２２はそれぞれ軸方向がタンジェンシャル方向とされている。
【００４７】
コイルユニット１８は、チルト用コイル２０、２０、第２のフォーカス用コイル２１及びトラッキング用コイル２２、２２が取り付けられた状態において、チルト用コイル２０、２０、第２のフォーカス用コイル２１及びトラッキング用コイル２２、２２が補強部材１９側へプレスされることにより形成される。このようにチルト用コイル２０、２０、第２のフォーカス用コイル２１及びトラッキング用コイル２２、２２を補強部材１９側へプレスすることにより、チルト用コイル２０、２０、第２のフォーカス用コイル２１及びトラッキング用コイル２２、２２の表面が平滑に形成される。また、プレスすることにより、補強部材１９に対してチルト用コイル２０、２０、第２のフォーカス用コイル２１及びトラッキング用コイル２２、２２が補強部材１９に押し付けられ、チルト用コイル２０、２０、第２のフォーカス用コイル２１及びトラッキング用コイル２２、２２の補強部材１９に対する浮きが防止され、補強部材１９に対するチルト用コイル２０、２０、第２のフォーカス用コイル２１及びトラッキング用コイル２２、２２の位置精度の向上が図られる。
【００４８】
コイルユニット１８は補強部材１９がレンズホルダー１２の部材取付部１４に、例えば、接着によって取り付けられる。補強部材１９は部材取付部１４の取付用開口１４ａを覆うようにして取り付けられ、例えば、取付用開口１４ａに嵌め込まれた状態で取り付けられる（図５参照）。従って、補強部材１９は、その外周面が、例えば、接着により部材取付部１４に取り付けられる。
【００４９】
また、コイルユニット１８は、図６に示すように、補強部材１９の前面又は後面の外周部が取付用開口１４ａの開口縁に接した状態で接着等によって後方又は前方から取り付けられるようにしてもよい。
【００５０】
レンズホルダー１２の部材取付部１４における左右両端部には、それぞれ接続基板２３、２３が取り付けられている（図３及び図４参照）。接続基板２３、２３の接続端子にはそれぞれ第１のフォーカス用コイル１５、第２のフォーカス用コイル２１、トラッキング用コイル２２、２２及びチルト用コイル２０、２０の各端部が接続されている。接続基板２３、２３には、図２に示すように、それぞれ支持バネ２４、２４、・・・の前端部が、例えば、半田付けによって接合されている。支持バネ２４、２４、・・・は、導電性金属材料によって、例えば、ワイヤー状に形成されている。
【００５１】
固定ブロック９に取り付けられた回路基板１１にはそれぞれ支持バネ２４、２４、・・・の後端部が、例えば、半田付けによって接合されている。
【００５２】
上記のように支持バネ２４、２４、・・・の両端部が可動ブロック１０の接続基板２３、２３と固定ブロック９の回路基板１１に接合されることにより、可動ブロック１０が支持バネ２４、２４、・・・によって固定ブロック９と連結されて中空に保持される。
【００５３】
対物レンズ駆動装置８にあっては、図示しない電源回路から回路基板１１、支持バネ２４、２４、・・・及び接続基板２３、２３を介してそれぞれ第１のフォーカス用コイル１５、第２のフォーカス用コイル２１、トラッキング用コイル２２、２２及びチルト用コイル２０、２０に駆動電流が供給される。第１のフォーカス用コイル１５、第２のフォーカス用コイル２１、トラッキング用コイル２２、２２及びチルト用コイル２０、２０は駆動電流が供給される駆動用コイルとして機能する。
【００５４】
可動ブロック１０の前側には横長の第１のフォーカス用マグネット２５が配置されている（図２参照）。第１のフォーカス用マグネット２５は、例えば、移動ベース７の図示しない取付部に取り付けられ、光路用開口１２ａの上側で第１のフォーカス用コイル１５の前側に位置されている。
【００５５】
移動ベース７には磁性金属材料によって形成されたヨーク部材２６が配置されている。
【００５６】
ヨーク部材２６は上下方向を向くベース部２６ａと該ベース部２６ａから上方へ突出されたヨーク部２６ｂとを有している。
【００５７】
ヨーク部２６ｂの前面には第２のフォーカス用マグネット２７及びトラッキング用マグネット２８、２８がそれぞれ取り付けられている。第２のフォーカス用マグネット２７はトラッキング用マグネット２８、２８の間に位置されている。
【００５８】
ヨーク部材２６には図示しないチルト用マグネットが取り付けられている。
【００５９】
第２のフォーカス用マグネット２７は第２のフォーカス用コイル２１に対向して位置され、トラッキング用マグネット２８、２８はそれぞれトラッキング用コイル２２、２２に対向して位置され、チルト用マグネットはそれぞれチルト用コイル２０、２０に対向して位置される。
【００６０】
尚、対物レンズ駆動装置８にあっては、専用のチルト用マグネットが設けられていない構成であってもよく、例えば、フォーカス用マグネット２７がチルト用マグネットを兼用する構成とすることが可能である。この場合には、チルト用コイル２０、２０はチルト用マグネットを兼用する第２のフォーカス用マグネット２７に対向して位置される。
【００６１】
第１のフォーカス用コイル１５と第２のフォーカス用コイル２１と第１のフォーカス用マグネット２５と第２のフォーカス用マグネット２７とヨーク部材２６によってフォーカス用磁気回路が構成される。トラッキング用コイル２２、２２とトラッキング用マグネット２８、２８とヨーク部材２６によってトラッキング用磁気回路が構成される。チルト用コイル２０、２０とチルト用マグネットとヨーク部材２６によってチルト用磁気回路が構成される。
【００６２】
図示しない電源回路から第１のフォーカス用コイル１５、第２のフォーカス用コイル２１、トラッキング用コイル２２、２２又はチルト用コイル２０、２０に駆動電流が供給されると、これらの駆動電流の向きと第１のフォーカス用マグネット２５、第２のフォーカス用マグネット２７、トラッキング用マグネット２８、２８又はチルト用マグネットにより発生する磁束の方向とに応じた向きの力（推力）が発生し、可動ブロック１０がフォーカス方向、トラッキング方向又はチルト方向へ動作される。
【００６３】
フォーカス方向はディスク状記録媒体１００に離接する方向（図２に示すＦ方向）、即ち、上下方向であり、トラッキング方向はディスク状記録媒体１００の半径方向（図２に示すＴＲ方向）、即ち、左右方向であり、チルト方向はフォーカス方向及びトラッキング方向にともに直交する方向（タンジェンシャル方向）に延びる軸の軸回り方向（図２に示すＴＩ方向）である。
【００６４】
可動ブロック１０がフォーカス方向、トラッキング方向又はチルト方向へ動作されるときには、支持バネ２４、２４、・・・が弾性変形される。
【００６５】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００６６】
この記録動作及び再生動作において、第１のフォーカス用コイル１５及び第２のフォーカス用コイル２１に駆動電流が供給されると、上記したように、対物レンズ駆動装置８の可動ブロック１０が固定ブロック９に対して図２に示すフォーカス方向Ｆ−Ｆへ動作され、対物レンズ１６、１７を介して照射されるレーザー光のスポットがディスク状記録媒体１００の記録面に集光するようにフォーカス調整が行われる。
【００６７】
また、トラッキング用コイル２２、２２に駆動電流が供給されると、上記したように、対物レンズ駆動装置８の可動ブロック１０が固定ブロック９に対して図２に示すトラッキング方向ＴＲ−ＴＲへ動作され、対物レンズ１６、１７を介して照射されるレーザー光のスポットがディスク状記録媒体１００の記録トラック上に集光するようにトラッキング調整が行われる。
【００６８】
さらに、チルト用コイル２０、２０に駆動電流が供給されると、上記したように、対物レンズ駆動装置８の可動ブロック１０が固定ブロック９に対して図２に示すチルト方向ＴＩ−ＴＩへ動作され、対物レンズ１６、１７を介して照射されるレーザー光の光軸がディスク状記録媒体１００の記録面に垂直となるようにチルト調整が行われる。
【００６９】
図７及び図８は、補強部材１９がレンズホルダー１２に取り付けられた本発明に係る対物レンズ駆動装置８と補強部材を有しない対物レンズ駆動装置について、それぞれの共振特性を示すグラフ図である。
【００７０】
図７は、非駆動時における対物レンズの応答特性を示すグラフ図であり、図８は、サーボ駆動時の一巡伝達関数を示すグラフ図である。
【００７１】
図７及び図８の上側のグラフ図は周波数（Ｈｚ）に対するゲイン（ｄｂ）を示し、図７及び図８の下側のグラフ図は周波数（Ｈｚ）に対する位相（ｄｅｇ）を示している。実線が本発明に係る対物レンズ駆動装置８に関する測定値であり、破線が補強部材を有しない対物レンズ駆動装置に関する測定値である。
【００７２】
図７及び図８に示すように、対物レンズ駆動装置８は補強部材１９がレンズホルダー１２に取り付けられた分、補強部材を有しない対物レンズ駆動装置に対してレンズホルダー１２の剛性が高くされており、対物レンズ駆動装置８の共振ピークＡが補強部材を有しない対物レンズ駆動装置の共振ピークＢより高周波領域に出現している。従って、カットオフ周波数におけるゲイン（０ｄｂ）と共振ピークのゲインとの差であるゲインマージンに関し、図８に示すように、補強部材を有しない対物レンズ駆動装置のゲインマージンＭｂが約４ｄｂとされているのに対し、対物レンズ駆動装置８のゲインマージンＭａが約１０ｄｂと大きくされている。
【００７３】
このように対物レンズ駆動装置８にあっては、ゲインマージンＭａが大きくされているため、動作の信頼性の向上を図ることができる。
【００７４】
以上に記載した通り、光ピックアップ６にあっては、レンズホルダー１２の部材取付部１４に取付用開口１４ａを形成し、部材取付部１４に取付用開口１４ａを閉塞するように補強部材１９を取り付けている。
【００７５】
従って、レンズホルダー１２に取付用開口１４ａが形成されている分、可動ブロック１０の重量を大きくすることなく該可動ブロック１０の剛性を高めているため、可動ブロック１０の動作時における感度の低下を来たすことなく動作の信頼性の向上を図ることができる。
【００７６】
また、補強部材１９が取付用開口１４ａに嵌め込まれた状態で取り付けられているため、対物レンズ駆動装置８の前後方向（タンジェンシャル方向）における長さが長くなることがなく、対物レンズ駆動装置８の小型化を確保することができる。
【００７７】
尚、図６に示すように、補強部材１９の前面又は後面の外周部が取付用開口１４ａの開口縁に接した状態で後方又は前方から取り付けられている場合には、その分、レンズホルダー１２の厚みが増すため、可動ブロック１０の剛性が高くなり、可動ブロック１０の動作時における感度の低下を来たすことなく動作の信頼性の向上を図ることができる。
【００７８】
対物レンズ駆動装置８にあっては、補強部材１９にチルト用コイル２０、２０、第２のフォーカス用コイル２１及びトラッキング用コイル２２、２２が取り付けられて構成されたコイルユニット１８がレンズホルダー１２に取り付けられている。
【００７９】
従って、レンズホルダー１２に補強部材１９が取り付けられた状態においてチルト用コイル２０、２０、第２のフォーカス用コイル２１及びトラッキング用コイル２２、２２が補強部材１９側へプレスされることがないため、プレスによる負荷がレンズホルダー１２に付与されることがなく、レンズホルダー１２の変形を防止することができる。特に、レンズホルダー１２の変形が防止されるために、レンズホルダー１２のレンズ取付部１３に対する対物レンズ１６、１７の位置精度の向上を図ることができる。
【００８０】
また、対物レンズ駆動装置８にあっては、上記したように、補強部材１９が反射率の低い材料によって形成されることが望ましい。補強部材１９を反射率の低い材料によって形成することにより、対物レンズ１６、１７の下方に位置する立上ミラーに光路用開口１２ａを介してレーザー光が入射されるときに、迷光等が補強部材１９で反射され難くなり、対物レンズ１６、１７への不要な光の入射を防止することができる。
【００８１】
尚、上記には、二つの対物レンズ１６、１７が配置された例を示したが、対物レンズの数は二つに限られることはなく、一つでもよく、また、三つ以上の複数であってもよい。
【００８２】
また、上記には、チルト用コイル２０、２０に駆動電流が供給されたときにチルト調整が行われる例を示したが、対物レンズ駆動装置８にあっては、専用のチルト用磁気回路を有さず、チルト用磁気回路がフォーカス用磁気回路又はトラッキング用磁気回路と兼用されている構成とすることも可能である。例えば、フォーカス用磁気回路がチルト用磁気回路と兼用される構成とした場合には、第１のフォーカス用コイル１５と第２のフォーカス用コイル２１に逆方向への駆動電流が供給されることにより、可動ブロック１０が固定ブロック９に対して図２に示すチルト方向ＴＩ−ＴＩへ動作されてチルト調整が行われる。
【００８３】
尚、上記には、対物レンズ駆動装置８がフォーカス調整及びトラッキング調整の他、チルト調整も行う場合を示したが、例えば、対物レンズ駆動装置８は、チルト調整機構を有さず、フォーカス調整及びトラッキング調整のみを行うものであってもよい。
【００８４】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００８５】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８６】
【図１】図２乃至図８と共に本発明光ピックアップ及びディスクドライブ装置を実施するための最良の形態を示すものであり、本図はディスクドライブ装置の概略斜視図である。
【図２】対物レンズ駆動装置の拡大斜視図である。
【図３】可動ブロックの拡大斜視図である。
【図４】コイルユニットを分離して示す可動ブロックの拡大斜視図である。
【図５】可動ブロックを図３とは別の方向から見た状態で示す拡大斜視図である。
【図６】コイルユニットのレンズホルダーに対する取付位置が異なる可動ブロックを示す拡大斜視図である。
【図７】図８と共に本発明に係る対物レンズ駆動装置と本発明の参考例として補強部材を有しない対物レンズ駆動装置について、それぞれの共振特性を示すグラフ図であり、本図は、非駆動時における対物レンズの応答特性を示すグラフ図である。
【図８】サーボ駆動時の一巡伝達関数を示すグラフ図である。
【符号の説明】
【００８７】
１…ディスクドライブ装置、３…ディスクテーブル、６…光ピックアップ、７…移動ベース、８…対物レンズ駆動装置、９…固定ブロック、１０…可動ブロック、１２…レンズホルダー、１３…レンズ取付部、１４…部材取付部、１４ａ…取付用開口、１５…第１のフォーカス用コイル（駆動用コイル）、１６…対物レンズ、１７…対物レンズ、１８…コイルユニット、１９…補強部材、２１…第２のフォーカス用コイル（駆動用コイル）、２２…トラッキング用コイル（駆動用コイル）、２４…支持バネ、２５…第１のフォーカス用マグネット（駆動用マグネット）、２７…第２のフォーカス用マグネット（駆動用マグネット）、２８…トラッキング用マグネット（駆動用マグネット）、１００…ディスク状記録媒体
【図１】
0005104524.tif 000002
【図２】
0005104524.tif 000003
【図３】
0005104524.tif 000004
【図４】
0005104524.tif 000005
【図５】
0005104524.tif 000006
【図６】
0005104524.tif 000007
【図７】
0005104524.tif 000008
【図８】
0005104524.tif 000009